(57)【要約】【課題】厨房のような特殊な環境下高温多湿で油雰囲気になる場所へも設置でき、メンテナンスを容易とした厨房用空気調和機を得る。【解決手段】下側に空気吸込口２、前側に空気吹出口３を有し、ドレン水を室外に排水するドレンアップ装置８を内蔵した厨房用空気調和機において、熱交換器５の下側に配置されたドレンパン６と、ドレンパン６より低い位置でかつ空気吸込口側に配置され、ドレンパン６と本体接続用ドレンホース９により接続されたドレンアップ装置８と、排水用の立ち上げ用配管１０とを接続する立ち上げ配管用ドレンホース１１と、空気吸込口２に配置されたオイルミストフィルタ７と、を備え、ドレンアップ装置８を運転することにより、ドレン水は上部へ強制排水される。【選択図】図１
2004317032.tif 000002
【特許請求の範囲】
【請求項１】
下側に空気吸込口、前側に空気吹出口を有し、熱交換器より発生したドレン水を室外に排水するドレンアップ装置を内蔵した天井吊り型の厨房用空気調和機において、
前記熱交換器の下側に配置されたドレンパンと、
前記ドレンパンより低い位置でかつ前記空気吸込口側に配置され、前記ドレンパンと本体接続用ドレンホースにより接続された前記ドレンアップ装置と、
前記ドレンアップ装置と排水用の立ち上げ用配管とを接続する立ち上げ配管用ドレンホースと、
前記空気吸込口に配置されたオイルミストフィルタと、
を備え、前記ドレンアップ装置を運転することにより、ドレン水は上部へ強制排水されることを特徴とする厨房用空気調和機。
【請求項２】
請求項１に記載のものにおいて、前記ドレンアップ装置はドレン水を溜める水槽、ドレン水を排水させるポンプ、前記水槽内の水位が上昇したときに作動するフロートスイッチを備え、前記水槽は耐油性を有すると共に、その内面に光触媒機能を有する酸化チタンが塗布されたことを特徴とする厨房用空気調和機。
【請求項３】
請求項１に記載のものにおいて、前記ポンプを収納し、側面に透明な観測窓が設けられたポンプ収納ケースを備えたことを特徴とする厨房用空気調和機。
【請求項４】
請求項１に記載のものにおいて、前記水槽は下側から着脱可能とされたことを特徴とした厨房用空気調和機。
【請求項５】
下側に空気吸込口、前側に空気吹出口を有し、熱交換器より発生したドレン水を室外に排水する天井吊り型の厨房用空気調和機に内蔵されるドレンアップ装置において、
前記熱交換器の下側に配置されたドレンパンより低い位置でかつ前記空気吸込口側に配置され、前記ドレンパンとは本体接続用ドレンホースにより、排水用の立ち上げ用配管とは接続ドレンホースにより接続され、ドレン水を溜める水槽は耐油性を有すると共に、その内面に光触媒機能を有する酸化チタンが塗布されたことを特徴とするドレンアップ装置。
【発明の詳細な説明】
【０００１】
【発明の属する技術分野】
本発明は、天井吊り型の空気調和機より発生するドレン水をポンプにより空気調和機上部の天井方向または天井内へ強制排水するドレンアップ装置を有する厨房用空気調和機に関する。
【０００２】
【従来の技術】
一般に、熱交換器を備える天井吊り型の厨房用空気調和機は、ドレン水を室外へ排水する手段として自然排水か強制排水を選定していずれかを設けている。自然排水の場合はドレン配管に勾配をつけ、空気調和機の背面側方向の低い位置で排水し、強制排水の場合はドレンアップ装置を使い空気調和機上部へ排出する。
【０００３】
しかし、ドレンアップ装置は厨房などの高温多湿で油雰囲気のある場所では熱や油の影響で変形や詰まりによる故障を起こす可能性があり、従来、この場合は自然排水を推奨し、止む負えない場合のみ雰囲気の影響を受けないようにして空気調和機と別置き型のドレンアップ装置を採用していた。
【０００４】
一方、使用上限温度が３２℃程度で油雰囲気にさらされない一般事務所に設置される天井吊り型や天井埋め込み型の空気調和機では、変形や雰囲気の影響を受けないため、例えば特許文献１に記載のようにドレンアップ装置を空気調和機に内蔵する構造としている。
【特許文献１】
特開平８−２８５３０５号公報
【０００５】
【発明が解決しようとする課題】
従来、厨房のような４５℃の室内温度となる特殊な環境下高温多湿で油雰囲気になる場所には、空気調和機に内蔵されるドレンアップ装置は適用できないとされ、上記従来技術に示されるドレンアップ装置は、設置スペースが余分に必要とされ、厨房のような狭い室内には扱い難いと共に、費用が嵩む恐れがあった。
【０００６】
本発明の目的は上記問題を解決するため、厨房のような特殊な環境下高温多湿で油雰囲気になる場所へも設置でき、メンテナンスを容易とした厨房用空気調和機を提供することにある。
【０００７】
【課題を解決するための手段】
上記課題を解決するため本発明は、下側に空気吸込口、前側に空気吹出口を有し、熱交換器より発生したドレン水を室外に排水するドレンアップ装置を内蔵した天井吊り型の厨房用空気調和機において、熱交換器の下側に配置されたドレンパンと、ドレンパンより低い位置でかつ空気吸込口側に配置され、ドレンパンと本体接続用ドレンホースにより接続されたドレンアップ装置と、ドレンアップ装置と排水用の立ち上げ用配管とを接続する立ち上げ配管用ドレンホースと、空気吸込口に配置されたオイルミストフィルタと、を備え、ドレンアップ装置を運転することにより、ドレン水は上部へ強制排水されるものである。
【０００８】
また、上記のものにおいて、ドレンアップ装置はドレン水を溜める水槽、ドレン水を排水させるポンプ、水槽内の水位が上昇したときに作動するフロートスイッチを備え、水槽は耐油性を有すると共に、その内面に光触媒機能を有する酸化チタンが塗布されたことが望ましい。
さらに、上記のものにおいて、ポンプを収納し、側面に透明な観測窓が設けられたポンプ収納ケースを備えたことが望ましい。
さらに、上記のものにおいて、水槽は下側から着脱可能とされたことが望ましい。
【０００９】
さらに、下側に空気吸込口、前側に空気吹出口を有し、熱交換器より発生したドレン水を室外に排水する天井吊り型の厨房用空気調和機に内蔵されるドレンアップ装置において、熱交換器の下側に配置されたドレンパンより低い位置でかつ空気吸込口側に配置され、ドレンパンとは本体接続用ドレンホースにより、排水用の立ち上げ用配管とは接続ドレンホースにより接続され、ドレン水を溜める水槽は耐油性を有すると共に、その内面に光触媒機能を有する酸化チタンが塗布されたものである。
【００１０】
【発明の実施の形態】
以下、本発明の実施の形態を図面を参照して説明する。
図１は、厨房用空気調和機に内蔵したドレンアップ装置８の配置を示し、本体となる厨房用空気調和機１には、下側に空気吸込口２、前側に空気吹出口３を有し、送風機４および熱交換器５を配置している。そして、送風機４の駆動に伴い、空気吸込口２から吸込んだ室内空気を熱交換器５により温度調整し、空気吹出口３より室内へ吹き出す。この際、冷房運転時室内空気と熱交換器５の温度差により凝縮された水（ドレン水）が発生する。そのため、熱交換器５の下側には、ドレン水を受けるドレンパン６を配置している。
【００１１】
また、空気吸込口２では、油雰囲気における室内空気を吸込むため、空気流通路一次側となる空気吸込口２にオイルミストフィルタ７を配置している。このオイルミストフィルタ７によりミスト状になった油をある程度取り除くことができ、油および不純物による空気調和機１内の各部品における動作不良および空気調和機１内の衛生面での悪影響を軽減することができる。
【００１２】
空気調和機１に内蔵されたドレンアップ装置８本体は、空気吸込口３側に配置され、ドレンアップ装置８とドレンパン６は本体接続用ドレンホース９により接続されている。熱交換器５より発生したドレン水をドレンパン６よりドレンアップ装置８内へ自然に流すため、ドレンアップ装置８はドレンパン６より低く配置されている。また、ドレンアップ装置８により空気調和機１本体の上部へ排水は、立ち上げ用配管１０とそれに接続する立上げ配管用ドレンホース１１により行われる。
【００１３】
図２にドレンアップ装置８本体の詳細図を示す。
ドレンアップ装置８本体は、空気調和機１の熱交換器５により凝縮され発生したドレン水およびそれに混在する油および不純物を溜める水槽１２、ドレン水を空気調和機１上部へ排水するためのポンプ１３、ポンプ１３より吸い上げられたドレン水を上部へ排出するために接続されたビニールホース１４、ビニールホース１４と立上げ配管用ドレンホース１１を中継する配管座１５により水経路が構成されている。さらに、水槽１２内のドレン水の水位が上昇した場合に、保護装置として作動するフロートスイッチ１６、フロートスイッチ１６を固定し、一定の高さを維持するフロート付け板１７および上記部品を固定、収容する板金箱からなるポンプ収納ケース１８とそれに付随する観測窓１９を有している。
【００１４】
ポンプ収納ケース１８側面に取り付けられた観測窓１９は、透明なアクリル樹脂を使用しており、空気調和機１側面のサービスカバー２０の４本のネジ２０ａを外すのみで、ポンプ収納ケース１８および水槽１２内部を確認することができる。これにより、ビニールホース１４でのドレン水の立上がりおよび水槽１２内の水量、油などの不純物の付着度の確認を容易できる。ドレンアップ装置８内に配置された水槽１２、ドレン水を排出させるポンプ１３、水槽１２内の水位が上昇したときに作動するフロートスイッチ１６は、油および不純物が混在するドレン水と直に接する構造となるため、耐油性を有する材料を使用し、油および不純物のドレンアップ装置８への詰まりを防止できる。
【００１５】
さらに、ドレンアップ装置８の詰まりを防止する方法として、酸化チタン２１を配した場合の例を図３に示し、ドレンアップ装置８の水槽１２の内面に酸化チタン２１を塗布している。酸化チタン１５は、化学的に安定で、安全性が高い物質であり、光触媒機能を有している。光触媒は、酸化分解により、強力な脱臭力、除菌力および防汚力があり、酸化チタン２１を塗料とし、水槽１２内面に塗布することにより、水槽１２内に滞留した油および不純物を分解し固形化させず、ドレンアップ装置８の詰まりを防止することができる。
【００１６】
図４は図１、２に示した例と同様、ドレンアップ装置８を内蔵構造型とした場合の例を示す。ドレンアップ装置８として空気調和機に内蔵構造とした水槽１２は、空気吸込口２に配置されたオイルミストフィルタ７を取り外し、ドレンアップ装置８の下側に配置した２本のネジ１２ａを外すのみで、ポンプ収納ケース１８から、水槽を着脱することができる。そして、２本のネジ１２ａは、空気調和機１の下側から容易に外すことができるため、狭い作業スペースでも容易に脱着ができる。この構造により、ドレンアップ装置８を空気調和機１本体に取付た状態で、ポンプ収納ケース１８およびそれに収容された部品に付着した油および不純物を容易に取ることができ、ポンプ収納ケース１８より取り外した水槽１２も洗浄、メンテナンスが容易に行なうことができ、作業スペースおよび時間を大幅に削減することが可能となる。
【００１７】
図５は図１、２に示した例と同様、ドレンアップ装置８を内蔵構造型とした場合を示し、取り付け板２２および仕切り板２３は隙間がなく、据え付け性を確保するため２分割可能となっており、ドレンアップ装置８と送風機４の間に配置されている。仕切り板２３は送風機取り付け板２４へ１本のネジ２３ａで固定され据え付けられる。次に、取り付け板２２は背面カバー２５および仕切り板２３に３本のネジ２２ａにより固定されている。また、取り付け板２２には引掛け２２ｂをつけることにより、仕切り板２３との取り付けを容易にし、取り付け板２２と仕切り板２３の隙間を最小に抑え、送風機４の振動によるビビリ音を軽減させることができる。また、取り付け板２２および仕切り板２３を隙間なく取り付けることで、送風機４による風の流れを遮り、ドレンアップ装置８の周辺を負圧にならないようにしている。これにより、ドレンアップ装置８内の水の排水性を確保することができる。
【００１８】
以上により、以下のような効果が得られる。
【００１９】
厨房のような油雰囲気で、高温多湿の特殊環境下に設置される厨房用空気調和機のドレンアップ装置を１つのケースにコンパクトに内蔵構造することで、狭い厨房に設置スペースの制限なく厨房用空気調和機を設置でき、工事費用を節減することができる。
【００２０】
また、一般空調用プレフィルタでは、油分が捕集できず油付着による動作不良となるが、ドレンアップ装置の一次側にオイルミストフィルタを設け、油の流入を防ぐことにより、油詰まりや清掃のメンテナンス期間を延ばすことができ、油分と高湿度空気による動作不良等、悪影響を軽減することができる。
【００２１】
さらに、耐熱性および耐油性を有する材料を使用し、仕切り板２３の下面を開放とすることでポンプ１３の放熱を促進でき、高温高湿度、油雰囲気の中でのドレンアップ装置の運転を可能にし、耐久性を向上させることができる。さらに、水槽の内側表面に光触媒機能を有する酸化チタンを配することにより、臭いの発生を抑え、油や不純物を分解し、水槽のメンテナンス期間を延長できる。
【００２２】
さらに、ドレンアップ装置の側面に、透明な観測窓を配置することにより、油や不純物の付着度や、ビニールホースで上方に流れるドレン水の排水経過を目視で容易に確認できることから、本体を分解しなくても清掃が必要かどうかを判断することができ、メンテナンス時間の削減ができる。
【００２３】
さらに、厨房用空気調和機の筐体内に仕切り板を設け、ドレンアップ装置の配置部分を負圧としないことで、ドレン水の排水性を確保できる。そして、ドレンアップ装置の下面部は、仕切り板を開放形状とすることでポンプのモータの放熱性を向上させ、熱溜まりを防ぎ、故障の要因を排除できる。
【００２４】
【発明の効果】
以上の述べたように、本発明によれば、厨房のような特殊な環境下高温多湿で油雰囲気になる場所へ設置される厨房用空気調和機として使用でき、メンテナンスを容易とできる。
【図面の簡単な説明】
【図１】本発明の一実施の形態におけるドレンアップ装置の配置を示す側面図。
【図２】一実施の形態のドレンアップ装置の詳細を示す側面図。
【図３】一実施の形態のドレンアップ装置の水槽を示す側断面図。
【図４】一実施の形態によるドレンアップ装置の取り外し状態を示す斜視図。
【図５】一実施の形態によるドレンアップ装置における仕切り板の配置を示す斜視図。
【符号の説明】
１…厨房用空気調和機、２…空気吸込口、３…空気吹出口、５…熱交換器、６…ドレンパン、７…オイルミストフィルタ、８…ドレンアップ装置、９…本体接続用ドレンホース、１０…立上げ用配管、１１…立上げ配管用ドレンホース、１２…水槽、１３…ポンプ、１６…フロートスイッチ、１８…ポンプ収納ケース、１９…観測窓、２０…サービスカバー、２１…酸化チタン、２３…仕切り板、２５…背面カバー。
【図１】
2004317032.tif 000003
【図２】
2004317032.tif 000004
【図３】
2004317032.tif 000005
【図４】
2004317032.tif 000006
【図５】
2004317032.tif 000007